(57)【要約】【課題】  付着した汚れや埃を拭き取りやすくでき、かつ外観の見栄え性をより一層高めることができる室内照明灯を提供する。【解決手段】  室内照明灯は１０、車両の天井トリム１１に開口１２が設けられ、この開口１２に意匠部１３が取付可能に設けられ、この意匠部１３の上方に光源バルブ１４が設けられている。意匠部１３は、開口１２に取付可能なレンズ１５を備え、レンズ１５の裏面１５Ａにおける所定位置１８Ａに遮光層２０が設けられている。【選択図】  図１
2006021657.tif 000002
【特許請求の範囲】
【請求項１】
車両の内装材に設けられた開口に取付可能なハウジングにレンズが固定された意匠部を備えた室内照明灯であって、
前記レンズの裏面における所定位置に遮光層が設けられていることを特徴とする室内照明灯。
【発明の詳細な説明】
【技術分野】
【０００１】
本発明は、車両の天井面やサンバイザ等の内装材に設けられた室内照明灯に関する。
【背景技術】
【０００２】
車両の天井面やサンバイザには車室内を照明したり、あるいは化粧時等の照明に利用したりする室内照明灯が設けられている（例えば、特許文献１参照。）。
【特許文献１】特開平２００３−１１８４８０号公報
【０００３】
特許文献１の室内照明灯は、車体のルーフパネルにルームランプを取り付けることにより、ルーフパネルの内側に配置した光源バルブが、意匠部（特に、レンズ）で覆われた状態に配置される。
通常、光源バルブを意匠部で覆うために、意匠部はルーフパネルやハウジングに取り付けられている。
なお、ハウジングはルーフパネルに取り付けられている。
【０００４】
しかし、特許文献１の室内照明灯は、レンズの周縁がハウジングの外側に張り出しているので、意匠部をルーフパネルに取り付ける時に、作業者の手がレンズの周縁に直接触れることになり、レンズ周縁の表面に汚れや、傷を付けてしまう虞れがあった。
この問題を解消する手段として、レンズの周縁をベゼル（すなわち、装飾部）で覆ったものが知られている。
【０００５】
この室内照明灯を図５に基づいて説明する。図５に示す室内照明灯１００は、意匠部１０１がルーフパネル１０２に取り付けられ、意匠部１０１で光源バルブ１０３が覆われている。
意匠部１０１は、レンズ本体１０４の周縁に係止縁１０５が設けられ、この係止縁１０５にベゼル１０６が取り付けられ、ベゼル１０６がルーフパネル１０２の開口１０８に係止されることにより、ルーフパネル１０２の開口１０８にレンズ本体１０４およびベゼル１０６が取り付けられている。
【０００６】
室内照明灯１００によれば、レンズ本体１０４の周縁がベゼル１０６で覆われているので、意匠部１０１をルーフパネル１０２に取り付ける際に、作業者の手がレンズ本体１０４の周縁に直接触れることを防止できる。
よって、レンズ本体１０４の周縁表面を作業者の手で汚してしまうことや、傷を付けてしまうことを防止できる。
ところで、このベゼル１０６は装飾部としての役割を果たしている。すなわち、ベゼル１０６の表面１０７にはシボによる凹凸が形成され、外観の見栄え性を高めている。
【発明の開示】
【発明が解決しようとする課題】
【０００７】
しかし、ベゼル１０６の表面１０７にはシボによる凹凸が形成されているので、凹部に汚れや埃が付着すると、拭き取り難いという問題があった。
加えて、ベゼル１０６の色は、ベゼル１０６の表面色（すなわち、材質の色）とし現れるだけなので、色の選択が限られてしまい、外観の見栄え性を十分に高めることが難しかった。
【０００８】
本発明は、付着した汚れや埃を拭き取りやすくでき、かつ外観の見栄え性をより一層高めることができる室内照明灯を提供することを目的とする。
【課題を解決するための手段】
【０００９】
前述した目的を達成するために、本発明の室内照明灯は、車両の内装材に設けられた開口に取付可能なハウジングにレンズが固定された意匠部を備えた室内照明灯であって、前記レンズの裏面における所定位置に遮光層が設けられていることを特徴としている。
【００１０】
本発明の室内照明灯によれば、レンズの裏面における所定位置に遮光層を設けたため、レンズの表面にシボによる凹凸を形成する必要がなく、レンズの表面を平坦に確保できる。
よって、万が一、レンズの表面に汚れや埃が付着した場合でも、付着した汚れや埃が拭き取りやすい。
【００１１】
加えて、遮光層としては、例えば印刷・蒸着・フイルムインモールド・塗装等がある。よって、設計者は、印刷・蒸着・フイルムインモールド・塗装等の多種の選択肢から、要求に応じた遮光層を選ぶことが可能になり、設計の自由度を高めることができる。
【発明の効果】
【００１２】
本発明の室内照明灯によれば、レンズの裏面における所定位置に遮光層を設けること で、レンズの表面を平坦に確保して汚れや埃を、手間をかけないで簡単に拭き取ることができるという効果が得られる。
【００１３】
また、本発明の室内照明灯によれば、レンズの裏面における所定位置に、遮光層を設けることで、室内側からレンズを見たとき、遮光層の色がレンズ表面に映り、レンズの表面がレンズと異なった色に見えるので、外観の見栄え性をより一層高めることができるという効果が得られる。
【発明を実施するための最良の形態】
【００１４】
以下、本発明に係る実施形態を図面に基づいて詳細に説明する。図１は本発明に係る室内照明灯の第１実施形態を示す断面図、図２は本発明に係る室内照明灯の第１実施形態を示す斜視図である。
【００１５】
本発明に係る第１実施形態の室内照明灯１０は、車両の天井トリム（内装材）１１に開口１２が設けられ、この開口１２に意匠部１３が取付可能に設けられ、この意匠部１３の上方に光源バルブ１４が設けられている。
意匠部１３は、開口１２に取付可能なレンズ１５を備え、レンズ１５の裏面１５Ａにおける所定位置１８Ａに遮光層２０が設けられている。
【００１６】
レンズ１５は、略矩形状に形成されたレンズ本体１６と、レンズ本体１６の周縁に係止縁１７が設けられ、この係止縁１７に取り付けられた透明ベゼル１８とからなる。
透明部ベゼル１８の裏面１８Ａ（すなわち、レンズ１５の裏面１５Ａにおける所定位置）に遮光層２０が設けられている。
【００１７】
透明部ベゼル１８は、レンズ本体１６の係止縁１７に嵌合部２１が嵌合され、嵌合部２１から外側に張出部２２を張り出したものであり、図２に示すように略矩形状の枠体に形成されている。この透明部ベゼル１８は、透明な材質で形成されている。
嵌合部２１の裏面および張出部２２の裏面で、透明部ベゼル１８の裏面１８Ａを構成する。
透明部ベゼル１８の裏面１８Ａに遮光層２０を設けることで、遮光層２０は、図２に示すように略矩形状の枠体に形成されている。
【００１８】
ここで、透明部ベゼル１８は、透明な材質で形成されている。よって、透明部ベゼル１８の裏面１８Ａに、遮光層２０を設けることで、遮光層２０の色が透明部ベゼル１８の表面１８Ｂに映る。
これにより、室内側からレンズ１５を見たとき、透明部ベゼル１８の表面１８Ｂが、現実の表面１８Ｂと異なった色に見える。
【００１９】
以上説明したように、本発明の室内照明灯１０によれば、透明部ベゼル１８の裏面１８Ａに遮光層２０を設けた。
よって、透明部ベゼル１８の表面１８Ｂにシボによる凹凸を形成する必要がなく、透明部ベゼル１８の表面１８Ｂを平坦に確保できる。
これにより、万が一、透明部ベゼル１８の表面１８Ｂに汚れや埃が付着した場合でも、付着した汚れや埃が拭き取りやすい。
【００２０】
加えて、遮光層２０としては、例えば印刷・蒸着・フイルムインモールド・塗装等がある。よって、設計者は、印刷・蒸着・フイルムインモールド・塗装等の多種の選択肢から、要求に応じた遮光層２０を選ぶことが可能になり、設計の自由度を高めることができる。
【００２１】
次に、図３、図４に基づいて第２実施形態について説明する。第２実施形態の室内照明灯３０において、第１実施形態の室内照明灯１０と同じ部材については同一符号を付して説明を省略する。
本発明に係る第２実施形態の室内照明灯３０は、車両の天井トリム（内装材）１１に開口１２が設けられ、この開口１２に意匠部３１が取付可能に設けられ、この意匠部３１の上方に光源バルブ１４が設けられている。
意匠部３１は、開口１２に取付可能なレンズ３２を備え、レンズ３２の裏面３２Ａにおける所定位置３２Ｂに遮光層３３が設けられている。
【００２２】
レンズ３２は、略矩形状に透明な材質で形成され、周縁に沿った裏面（すなわち、レンズ３２の裏面３２Ａにおける所定位置）３２Ｂに遮光層３３が設けられている。
レンズ３２は、略矩形状に透明な材質で形成され、周縁に沿った裏面、すなわち、レンズ３２の周縁に沿った所定位置３２Ｂに遮光層３３を設けることで、遮光層３３は、図２に示すように略矩形状の枠体に形成されている。
【００２３】
ここで、レンズ３２は、透明な材質で形成されている。よって、レンズ３２の裏面３２Ａにおける所定位置３２Ｂに遮光層３３を設けることで、遮光層３３の色がレンズ３２の表面３２Ｃのうち、所定位置３２Ｂに対応する部位３２Ｄに映る。
これにより、室内側からレンズ３２を見たとき、レンズ３２の表面３２Ｃのうち、所定位置３２Ｂに対応する部位３２Ｄが、現実の部位３２Ｄと異なった色に見える。
【００２４】
以上説明したように、本発明の室内照明灯３０によれば、レンズ３２の裏面３２Ａにおける所定位置３２Ｂに遮光層３３を設けた。
よって、レンズ３２の表面３２Ｃのうち、所定位置３２Ｂに対応する部位３２Ｄにシボによる凹凸を形成する必要がなく、所定位置３２Ｂに対応する部位３２Ｄを平坦に確保できる。
これにより、万が一、所定位置３２Ｂに対応する部位３２Ｄに汚れや埃が付着した場合でも、付着した汚れや埃が拭き取りやすい。
【００２５】
加えて、遮光層３３としては、例えば印刷・蒸着・フイルムインモールド・塗装等がある。よって、設計者は、印刷・蒸着・フイルムインモールド・塗装等の多種の選択肢から、要求に応じた遮光層３３を選ぶことが可能になり、設計の自由度を高めることができる。
【００２６】
なお、前記第１、第２実施形態では、車両の内装材として天井トリム１１に室内照明灯１０，３０を取り付けた例について説明したが、これに限らないで、例えばサンバイザ等のその他の部位に室内照明灯１０，３０を取り付けることも可能である。
【００２７】
なお、前記第１、第２実施形態では、遮光層２０，３３を、レンズ１５，３２の周縁に沿って所定の幅で形成された略矩枠状に形成した層を例に説明したが、遮光層２０，３３の形状はこれに限定するものではない。
要は、レンズ１５，３２の意匠性を高めるように遮光層２０，３３の形状を決めればよい。
【００２８】
また、前述した実施形態において例示した室内照明灯１０，３０，天井トリム１１，開口１２，意匠部１３，３１，レンズ１５，３２，透明部ベゼル１８，遮光層２０，３３等の材質，形状，寸法，形態，数，配置個所等は本発明を達成できるものであれば任意であり、限定されない。
【図面の簡単な説明】
【００２９】
【図１】本発明に係る室内照明灯の第１実施形態を示す断面図である。
【図２】本発明に係る室内照明灯の第１実施形態を示す平面図である。
【図３】本発明に係る室内照明灯の第２実施形態を示す断面図である。
【図４】本発明に係る室内照明灯の第２実施形態を示す平面図である。
【図５】従来の室内照明灯を示す断面図である。
【符号の説明】
【００３０】
１０，３０  室内照明灯
１１  天井トリム（内装材）
１２  開口
１３，３１  意匠部
１５，３２  レンズ
１５Ａ，３２Ａ  裏面
１８Ａ  透明部ベゼルの裏面（レンズの裏面における所定位置）
３２Ｂ  レンズの裏面における所定位置
２０，３３  遮光層
【図１】
2006021657.tif 000003
【図２】
2006021657.tif 000004
【図３】
2006021657.tif 000005
【図４】
2006021657.tif 000006
【図５】
2006021657.tif 000007